(57)【特許請求の範囲】
【請求項１】
ランプ情報を担持している情報保持手段が固定された口金を有する発光管である光源部と、前記口金を保持するための口金ホルダと、前記情報保持手段の情報を読み取る情報読取手段とを具備する光源装置において、前記口金ホルダは、前記口金が挿入される口金挿入部を有して前記情報読取手段を内部空間に収容する遮蔽体で構成されており、前記情報読取手段は、前記口金ホルダが前記口金を保持している状態において前記情報保持手段に対向する位置に設けられていることを特徴とする光源装置。
【請求項２】
前記情報読取手段と前記情報保持手段とを冷却するための温調媒体を前記遮蔽体の内部空間に流入させ排出させる手段を設けたことを特徴とする請求項１記載の光源装置。
【請求項３】
前記遮蔽体は、金属で構成されており、前記口金との間を電気的に絶縁する部材が設けられていることを特徴とする請求項１または２に記載の光源装置。
【請求項４】
前記遮蔽体は、金属で構成されており、前記情報読取手段を電気的に絶縁する部材が設けられていることを特徴とする請求項１または２に記載の光源装置。
【請求項５】
前記遮蔽体は、絶縁体で構成されており、電気的シールド材により覆われていることを特徴とする請求項１または２に記載の光源装置。
【請求項６】
前記口金ホルダは、前記口金に当接する面に、前記温調媒体を排出するための複数の溝を有することを特徴とする請求項２記載の光源装置。
【請求項７】
前記口金ホルダは、前記口金を保持する口金保持部と、前記遮蔽体に取り付けられて前記口金保持部を支持する柱状部とを備えることを特徴とする請求項１〜５のいずれかに記載の光源装置。
【発明の詳細な説明】
【技術分野】
【０００１】
本発明は、光源装置に関し、特に、放電ランプの個別情報を読み取る個別情報読取部を保護する光源装置に関する。
【背景技術】
【０００２】
従来、放電ランプを光源とする露光装置で、LSI製造用などのマスクのパターンを基板に露光している。露光する前に、マスクと基板を正しい位置関係とする必要がある。そのため、特許文献１に開示されている方法では、図９（ａ）に示すように、マスクと基板のアライメントマークを撮像装置により撮像する。両者のマークが一致するように、マスクと基板の相対位置を合わせる。位置合せが完了した後、撮像装置を退避させる。
【０００３】
さらに、波長や光量などが規定の仕様を満たす放電ランプでないと、基板を精度よく露光できない。そのため、新規に放電ランプを取り付ける際には、放電ランプが規定の仕様を満たすことを確認する必要がある。また、放電ランプの長期使用による特性劣化があるので、仕様を満たさなくなったら、放電ランプを交換する必要がある。放電ランプの交換時にも、新しい放電ランプが規定の仕様を満たすことを確認する必要がある。
【０００４】
そこで、本出願人は、特許文献２で、放電ランプが適合するものであることを確認できる光源装置を提案した。この光源装置は、図９（ｂ）に示すように、口金に表示してある放電ランプデータを読み取って確認するものである。口金ホルダに、放電ランプデータを読み取る読取装置を設ける。取り付けられた放電ランプが適合した放電ランプであるか否かを、自動的に判断する。適正な放電ランプであれば、放電ランプを駆動し、放電ランプの使用状態と使用履歴を管理する。
【０００５】
さらに、本出願人は、特許文献３で、ICタグ認証方法を提案した。これは、図９（ｃ）に示すように、高圧ガスが封入された放電ランプの発光管の中心軸上で導電性の口金の端に、絶縁性のキャップを介してICタグを取り付ける。点灯時におけるICタグへの損傷やノイズを防止して、ICタグへの情報の読み書きができるように、ICタグにシールド部を被せる。放電ランプが、輸送時に異常な衝撃を与えられた履歴や、異常な温度で保管された履歴や、梱包箱が開封された履歴などの輸送情報を、ICタグに記録する。ICタグに書き込まれた輸送情報などを、光源装置で参照して点灯の可否を判断する。保管輸送中や点灯中を含めて製造段階から使用後までのすべての過程にわたって放電ランプの個別情報が管理でき、常に安全に点灯できる。
【０００６】
また、特許文献４に開示された「消耗品交換時期管理システム」は、消耗品の使用開始時期と使用経過時間を管理し、交換時期が来ると自動的に利用者に通知するものである。図９（ｄ）に示すように、消耗品チップが、取り外し可能に蛍光灯に取り付けられている。消耗品チップに貼られたシールを剥がして蛍光灯を装着する。リーダ・ライタで、ICタグと非接触で通信して、装着状態を検出するとともに、装着状態情報の読み書きを行う。読み出された装着状態情報に基づいて、蛍光灯の使用開始判断を行う。使用開始時刻から一定の寿命時間が経過すると、蛍光灯を交換するように利用者に通知する。
【０００７】
また、本出願人は、特許文献５で、読取装置の退避方法を提案した。これは、図９（ｅ）に示すように、放電ランプの口金に放電ランプデータを表示しておく。口金を保持する口金ホルダに、放電ランプデータの読取手段を設ける。放電ランプが口金ホルダに保持され点灯されていない状態で、放電ランプデータを読み取る位置に読取手段を移動させる。ランプを点灯する前に、ランプ点灯による熱などを遮蔽する遮蔽部を設けた退避位置に読取手段を移動させる。
【特許文献１】特開平07-013340号公報
【特許文献２】特願2006-100000号明細書
【特許文献３】特願2007-111889号明細書
【特許文献４】特開2006-085344号公報
【特許文献５】特願2006-222170号明細書
【発明の開示】
【発明が解決しようとする課題】
【０００８】
しかし、従来の放電ランプ個別情報読取方法では、以下のような問題がある。放電ランプ電極間を絶縁破壊させるパルス状の高電圧を、口金ホルダから印加して点灯する放電ランプにおいては、高電圧により読取装置の構成部材が絶縁破壊される危険がある。また、放電ランプの点灯時には、口金ホルダ周辺が200℃から300℃程度の高温度状態となるので、読取装置の構成部材が熱により劣化する。読取装置が劣化すると、放電ランプの使用状態や使用履歴などを正確に管理できなくなる。それを避けるために、特許文献１に開示された撮像装置の光路への挿脱方法を、光源装置における放電ランプの管理にそのまま適用することは、劣化原因の条件が著しく異なるので困難である。また、特許文献５に開示されたように、読取装置を熱や高電圧から保護するために、読取装置を退避させる機構を備えると、光源装置の構造が複雑になってコスト高になる。
【０００９】
さらに、例えば、口金に付与した放電ランプデータを表示する部材が、放電ランプからの光や口金の熱により変色するため、読取装置での読取りが困難となるおそれがある。また、ICタグも、口金から伝わる熱により劣化したり破損したりするおそれがある。そのため、長期の放電ランプの使用において、信頼性よくランプデータを読み取ることは困難であった。
【００１０】
本発明の目的は、上記従来の問題を解決して、光源装置において、放電ランプの口金に保持された放電ランプ個別情報と、その情報の読み書きを行う装置とを、放電ランプの熱や光や、放電ランプに印加する高電圧から、放電ランプの使用期間の全てに渡って保護することである。
【課題を解決するための手段】
【００１１】
上記の課題を解決するために、本発明では、ランプ情報を担持している情報保持手段が固定された口金を有する発光管である光源部と、口金を保持するための口金ホルダと、情報保持手段の情報を読み取る情報読取手段とを具備する光源装置の口金ホルダを、口金が挿入される口金挿入部を有して情報読取手段を内部空間に収容する遮蔽体で構成し、情報読取手段を、口金ホルダが口金を保持している状態において情報保持手段に対向する位置に設けた。
【００１２】
情報読取手段と情報保持手段とを冷却するための温調媒体を遮蔽体の内部空間に流入させ排出させる手段を設けた。遮蔽体は、導電性の金属で構成されており、口金との間を電気的に絶縁する部材が設けられているか、情報読取手段を電気的に絶縁する部材が設けられている。あるいは、遮蔽体は絶縁体で構成されており、電気的シールド材により覆われている。口金ホルダは、口金に当接する面に、温調媒体を排出するための複数の溝を有する。または、口金ホルダは、口金を支持する口金保持部と、遮蔽体に取り付けられて口金保持部を支持する柱状部とを備える。
【発明の効果】
【００１３】
上記のように構成することにより、放電ランプの熱や光や、放電ランプに印加する高電圧から、情報保持手段および情報読取手段を保護して、放電ランプの使用状態や使用履歴などを正確に管理できる。
【発明を実施するための最良の形態】
【００１４】
以下、本発明を実施するための最良の形態について、図１〜図８を参照しながら詳細に説明する。
【実施例１】
【００１５】
本発明の実施例１は、電磁気的に遮蔽して強制冷却した口金ホルダ内部に表示読取部を設け、口金の突出部を口金ホルダに挿入して口金を保持した状態で、突出部にある表示部の放電ランプ個別情報を読み取る光源装置である。
【００１６】
図１は、本発明の実施例１における光源装置の概念図である。表示読取部と放電ランプの表示部とが、対面するように配置されている。図１において、陽極１は、プラス側の電極である。陰極２は、マイナス側の電極である。内部リード棒３は、電極を支えて給電する部材である。金属箔４は、内部リード棒と外部リード棒を電気的に接続する部材である。封止管部５は、バルブを気密封止する部分である。外部リード棒７は、口金から金属箔を介して電極へ給電する部材である。発光部９は、電極間の放電により発光する部分である。発光管10は、電極を密封して放電空間を形成するガラス部材である。口金20は、放電ランプを機械的に保持するとともに給電するための部材である。円筒部21は、口金の大径部である。突出部23は、口金の小径部である。表示部30は、放電ランプの個別情報を保持した部材である。口金ホルダ40は、口金を保持する部材である。遮蔽体50は、中空の箱状部材である。表示読取部60は、放電ランプの個別情報の表示の読み書きを行う情報読取手段である。
【００１７】
放電ランプは、発光部９および２つの封止管部５よりなる発光管10と、発光部９の中に対向配置された陽極１および陰極２と、これら陽極１および陰極２を支持するとともに通電を行う内部リード棒３と、外部リード棒７と、この内部リード棒３と外部リード棒７とを導電性の金属箔４によって接続して気密に封止する封止管部５とにより構成されている。さらに、封止管部５には、口金20が固定されている。もう一方の封止管部５に、口金20が固定されている。口金20は、封止管を保持する円筒部21と、円筒部に連設される円筒部端面22と、円筒部の端面に植設される突出部23と、突出部23の端面に設けた表示部30とから構成されている。表示部30は、放電ランプの個別情報を保持する部分である。口金ホルダ40は光源装置に固定されている。口金ホルダ40は、内部に表示読取部60を配設した遮蔽体50からなる。
【００１８】
遮蔽体50は、アルミなどの金属でできており、光源からの光を遮断できる。口金20と遮蔽体50との間または表示読取部60と遮蔽体50との間に絶縁材を介在させる。または、遮蔽体50の全部または一部を電気的絶縁材料より構成して、その外周に導電性の網などを被せることにより、電気的に遮蔽することもできる。遮蔽体50の形状は適宜の形状でよく、立方体や直方体などの多面体でもよく、円筒状や球状などでもよい。
【００１９】
図２(Ａ)は、放電ランプの表示部を有する口金の側面図である。図２(Ｂ)は、放電ランプの表示部を有する口金の底面図である。図３（Ａ）は、光源装置の表示読取部と口金の表示部とが対面するように配置した状態を示す縦断面図である。図３（Ｂ）は、表示部の表示例である。図３（Ｃ）は、放電ランプの取付けの際の処理手順を示す流れ図である。図２と図３において、口金ホルダ40は、口金の円筒部端面22と当接することにより、放電ランプを保持する部材である。蓋部51は、遮蔽体の上蓋部分である。側部52は、遮蔽体の側壁部分である。底部53は、遮蔽体の底の部分である。孔部54は、蓋部に設けた貫通孔である。遮蔽空間55は、遮蔽体の内部の空間である。供給管56は、遮蔽体の内部に温調媒体を供給する管である。排出口57は、遮蔽体の外部へ温調媒体を排出する口である。温調媒体は、温調手段(図示せず)により、表示部や表示読取部に対して適正な温度に調節された空気である。信号線61は、電気信号を伝送する導電線である。
【００２０】
上記のように構成された本発明の実施例１における光源装置の機能と動作を、図１〜図３を参照しながら説明する。最初に、図１を参照しながら、光源装置の機能の概要を説明する。光源装置は、口金ホルダ40が口金20を保持している状態で、遮蔽体50の内部にある表示読取部60で、発光管10の口金20に固定された表示部30の表示を読み取って、ランプ情報を取得する。遮蔽体50の内部空間には、温調媒体を流入させて表示部30と表示読取部60を冷却する。金属で構成された遮蔽体50には、口金20との間を電気的に絶縁する部材が設けられているか、表示読取部60を電気的に絶縁する部材が設けられている。絶縁体で構成された遮蔽体50の場合には、電気的シールド材で覆う。図示していない電源から口金20を介して放電ランプに直流電力を供給することにより、陰極２と陽極１との間で放電を行う。
【００２１】
次に、図２と図３を参照しながら、表示部と表示読取部について説明する。口金20の突出部23の端部に、放電ランプに関する個別情報を保持した表示部30が設けられている。光源装置に固定されている口金ホルダ40は、内部に表示読取部60を設けた遮蔽体50で構成されている。遮蔽体50は、光源装置に固定される底部53と、遮蔽体の側壁となる側部52と、側部を介して底部に保持される蓋部51とからなる。蓋部51と側部52と底部53とにより覆われることにより、遮蔽空間55が形成されている。蓋部51には孔部54がある。口金20の突出部23を孔部54に挿入して、口金20の円筒部端面22と蓋部51とを当接させることにより、放電ランプは口金20で光源装置に保持される。口金20を口金ホルダ40にネジなどで固定してもよい。
【００２２】
遮蔽体50の底部53には、表示読取部60が固定されている。表示読取部60は、放電ランプ個別情報などを、図示していない光源装置制御部に信号線61を介して伝送する。放電ランプの個別情報とは、放電ランプ情報と輸送履歴情報と点灯履歴情報のいずれかを含む情報のことである。放電ランプ情報は、製造年月日、製造者名、製造場所、製造ライン、放電ランプ型式、品種番号、ロット番号、識別番号、定格放電ランプ電流、定格放電ランプ電圧、冷却条件、装置への取付けの向き、使用限度時間のいずれか、または、これらの組合せの情報である。輸送履歴情報は、工場出荷日時、倉庫入庫・出庫日時、代理店入荷・出荷日時、出荷先、輸送会社名、荷物伝票番号、担当者名のいずれか、または、これらの組合せの情報である。点灯履歴情報は、点灯開始日時、消灯日時、再点灯日時、点灯条件、点滅回数、積算点灯時間、装置個体番号、装置設定、装置エラー情報、使用禁止情報のいずれか、または、これらの組合せの情報である。
【００２３】
放電ランプの個別情報を光学的に表示部30に表示する手段として、図３（Ｂ）に示すような文字や記号や符号や図形や模様などを利用する。製造会社のマークなどを表示してもよい。放電ランプの個別情報は、光の反射率の相違や、正反射部分および乱反射部分の組合せにより表示される。表示部30の表示は、切削、彫刻、刻印、蝕刻、レーザ光線の照射などによって形成できる。口金20の円筒部の端面に予め凹部を形成しておき、この凹部に放電ランプ個別情報を表示させたプレートを嵌め込んで取り付けてもよい。放電ランプの使用者が見てわかる文字や図形で表示しておけば、放電ランプが光源装置に適合した放電ランプであることを目視で確認できる。直接表示できないほどの多くの情報量を保持させる場合には、バーコードや２次元コードを利用して識別情報を表示しておき、ネットワーク経由で情報の実体を取得する方法が適当である。
【００２４】
表示部30の表示を光学的に読み取る手段として、表示読取部60には、LEDなどの光源およびCCDなどの画像読取手段を備えている。読み取った表示の画像信号を画像処理して、パターン認識や文字認識をする。放電ランプごとの属性や放電ランプの設定仕様などのデータが、必要に応じて取り出される。このデータに基づいて、放電ランプが光源装置に適合した放電ランプであるか否かを自動的に判断する。さらに、レーザなどを用いて、表示部30に新たな情報を書き加えてもよい。放電ランプ個別情報を読み取った結果、正しい放電ランプであれば、放電ランプに電力を供給し、放電ランプを点灯させる。図３（Ｃ）に、情報設定から点灯制御までの手順の例を示す。
【００２５】
次に、図３（Ａ）を参照しながら、遮蔽空間の冷却方法について説明する。遮蔽体50の側部52には、温調媒体Ｓを遮蔽空間55に供給する供給管56と、温調媒体Ｓを外部に排出する排出口57と、表示読取部60に接続された信号線61を通す孔が設けられている。温調媒体Ｓは、窒素ガスや空気などでよいし、液体窒素などの液体でもよい。表示部30と表示読取部60の両方に温調媒体が吹き付けられるように、供給管56から温調媒体Ｓを放出する向きを設定しておく。複数の供給管56を設けて、各々に対して吹き付けてもよい。供給管56と排出口57は、遮蔽体50の底部53や蓋部51に設けてもよい。遮蔽体50の内部の遮蔽空間55に温調媒体Ｓが供給されることにより、放電ランプ点灯中においても、表示部30と表示読取部60を適切な温度で使用できる。遮蔽空間55に温度センサを設けて、温調媒体Ｓの流量や温度を調節するとよい。温調媒体Ｓを光源装置内に放出しないで、循環させてもよい。さらに、遮蔽体50の一部又は全部を断熱性の部材で構成して、口金20の熱を遮蔽する。あるいは、遮蔽体50を断熱材や熱線反射性部材で覆う。また、遮蔽体50の外面を鏡面状として、放電ランプからの熱線を反射する。このようにすれば、遮蔽体50の内部の遮蔽空間55は、さらに容易に適切な温度に維持できる。このように、遮蔽空間55が熱的に遮蔽されるので、表示部30と表示読取部60は、長期にわたって高い信頼性を維持できる。
【００２６】
次に、図３（Ａ）を参照しながら、遮蔽空間の電磁気的な遮蔽方法について説明する。遮蔽体50を、アルミなどの金属で構成する。遮蔽体50の全部又は一部に絶縁性の材質を用いて、表示読取部60を口金20から電気的に絶縁する。あるいは、遮蔽体50を、絶縁体で構成して、遮蔽体50の全部又は必要な一部を、導電性の網などの導電性部材で覆う。このように遮蔽空間55を電磁気的に遮蔽して、放電ランプからの電気的・光学的妨害に対して表示部30と表示読取部60を保護する。すなわち、放電ランプ点灯開始時の強力な高電圧のスタータパルスから表示読取部60を保護し、放電ランプからの強力な紫外線や赤外線を含む光を遮蔽して、表示読取部60の劣化や表示部30の表示の変質・変色を防ぐ。その結果、表示読取部60は、表示部30の表示を長期にわたって正確に読み取ることができる。
【００２７】
上記のように、本発明の実施例１では、光源装置を、電磁気的に遮蔽して強制冷却した口金ホルダ内部に表示読取部を設け、口金の突出部を口金ホルダに挿入して口金を保持した状態で、突出部にある表示部の放電ランプ個別情報を読み取るように構成したので、表示部と表示読取部をランプの熱や光や高電圧から保護して、放電ランプ個別情報を長期にわたって高い信頼性で読み取ることができる。
【実施例２】
【００２８】
本発明の実施例２は、複数の溝から温調媒体を排気して強制冷却し電磁気的に遮蔽した口金ホルダ内部にリーダ・ライタを設け、口金の突出部を口金ホルダに挿入して口金を保持した状態で、突出部にあるICタグの放電ランプ個別情報を読み書きする光源装置である。
【００２９】
図４(Ａ)は、ICタグを有する口金の側面図である。図４(Ｂ)は、ICタグを有する口金の底面図である。図５(Ａ)は、光源装置のリーダ・ライタと口金のICタグとが対面するように配置した状態を示す縦断面図である。図５(Ｂ)は、図５(Ａ)のA-A断面図である。図４と図５において、実施例１と同様の部分に関しては説明を省略する。突出部123は、口金の小径部である。ICタグ130は、放電ランプの個別情報を保持する無電源のICチップである。キャップ223は、ICタグ130を突出部123の先端に保持する有底円筒状のキャップである。リーダ・ライタ160は、ICタグに保持された放電ランプに関する情報および輸送に関する情報を読み取る装置である。排出溝157は、蓋部151に設けられており、口金ホルダ140の外部と孔部54とを接続している。
【００３０】
ICタグ130は、ICチップとアンテナ部を備えているICタグである。リーダ・ライタ160は、ICタグの放電ランプ個別情報の読み書きを行う装置である。ICチップは、記憶装置を備えている。記憶装置には、放電ランプの個別情報が記録される。アンテナ部を介して、リーダ・ライタにより記憶装置の情報の読み書きが行われる。
【００３１】
上記のように構成された本発明の実施例２における光源装置の機能と動作を、図４と図５を参照しながら説明する。最初に、ICタグをリーダ・ライタで読み書きする方法について説明する。突出部123の端部には、キャップ223が嵌め込まれている。キャップ223にはICタグ130が保持されている。ICタグ130は、リーダ・ライタ160により、放電ランプに関する情報や輸送に関する情報が読み書きされる。ICタグ130は、リーダ・ライタ160と電波で通信を行うため、キャップ223は電波を通し易い材質とする。さらに、放電ランプ点灯時には口金120に通電されるので、キャップ223は絶縁性の材質とし、テフロン（登録商標）などのフッ素樹脂を用いる。絶縁性の材質によるキャップ223を用いることにより、口金120に印加される高電圧からICタグ130を保護できる。特に、点灯開始時の強力なスタータパルスから保護する必要がある。放電ランプ個別情報を読み取った結果、正しい放電ランプであれば、放電ランプに電力を供給し、放電ランプを点灯させる。
【００３２】
次に、ICタグとリーダ・ライタを冷却する方法について説明する。排出溝157は、蓋部151に４本設けられている。口金120が口金ホルダ140に取り付けられ、口金120の円筒部端面22と口金ホルダ140の蓋部151とが当接した状態でも、孔部154は、排出溝157を介して口金ホルダ140の外部に開放されている。供給管56から遮蔽空間55内に供給された温調媒体Ｓは、遮蔽空間内に配設されたリーダ・ライタ160を冷却し、突出部123と孔部154との隙間を通って、口金120の円筒部端面22と蓋部151との間に流れ出る。この時、突出部123と孔部154との隙間に温調媒体Ｓの流れが集中するので、キャップ223を集中して冷却できる。キャップ223の熱変形や、熱によるICタグ130の劣化や破損を、効果的に防止できる。口金120の円筒部端面22と蓋部151との間に流れ出た温調媒体Ｓは、口金120の円筒部21と蓋部151とを冷却しながら、排出溝157から口金ホルダ140の外へ放出される。
【００３３】
このように、遮蔽体150の内部に供給された温調媒体Ｓは、第１にリーダ・ライタ160を冷却し、第２にICタグ130およびキャップ223および突出部123を冷却し、第３に蓋部151と口金120の円筒部21とを冷却し、口金ホルダ140の外部に放出される。よって、口金ホルダ140の冷却が効率的にできる。温調媒体Ｓの排出溝157を、口金120の円周方向に均等となるように複数本設けているため、口金120の円筒部21の端面を良好に冷却できる。よって、蓋部151および遮蔽体150の内部が高温となることを防げる。さらに、口金120の円筒部端面22と蓋部151との接触面積が狭くなるので、口金120の円筒部端面22から遮蔽体150の蓋部151への熱の伝達を少なくできる。この冷却方法は、実施例１のような光学的な表示を読み取る場合にも適用でき、同様な効果が得られる。さらに、ICタグ130とリーダ・ライタ160は、実施例１と同様に電磁気的に遮蔽されている。遮蔽体150で電磁波ノイズから保護され、熱的にも遮蔽されているので、リーダ・ライタ160は、長期にわたって正確にICタグ130を読み書きできる。
【００３４】
上記のように、本発明の実施例２では、光源装置を、複数の溝から温調媒体を排気して強制冷却し電磁気的に遮蔽した口金ホルダ内部にリーダ・ライタを設け、口金の突出部を口金ホルダに挿入して口金を保持した状態で、突出部にあるICタグの放電ランプ個別情報を読み書きする構成としたので、ICタグとリーダ・ライタをランプの熱や光や高電圧から保護して、放電ランプ個別情報を長期にわたって高い信頼性で読み取ることができる。
【実施例３】
【００３５】
本発明の実施例３は、口金と口金ホルダの間に隙間を設けて口金を保持し、隙間から温調媒体を排気して強制冷却し電磁気的に遮蔽した口金ホルダ内部にリーダ・ライタを設け、口金の突出部を口金ホルダに挿入して口金を保持した状態で、突出部にあるICタグの放電ランプ個別情報を読み書きする光源装置である。
【００３６】
図６（Ａ）は、光源装置のリーダ・ライタをICタグに対面するように配置した状態を示す縦断面図である。図６（Ｂ）は、図６(Ａ)のB-B断面図である。図６において、口金保持部241は、口金の円筒部端面22と当接することにより放電ランプを保持する部材である。孔部254は、口金保持部に設けた貫通穴である。排出口257は、遮蔽体の蓋部に設けた貫通穴である。柱部242は、遮蔽体250に対して口金保持部241を支持する部材であって、蓋部251上に口金の円周方向に均等に４つ設けてある。光源装置に固定されている口金ホルダ240は、内部にリーダ・ライタ160を配設した遮蔽体250と、遮蔽体250の蓋部上に口金220の円周方向に均等に４つ設けた柱部242と、柱部242に支持された口金保持部241とからなる。口金保持部241には、孔部254がある。
【００３７】
上記のように構成された本発明の実施例３における光源装置の機能と動作を、図６を参照しながら説明する。放電ランプを光源装置に取り付けるときは、放電ランプに関する個別情報を保持したICタグ130を端部に設けた口金220の突出部123を、口金保持部241の孔部254に挿入する。さらに、口金220の円筒部端面22と口金保持部241とを当接させて、放電ランプを光源装置に保持する。口金220を口金保持部241にネジなどで固定してもよい。放電ランプは、口金保持部241の孔部254によって位置再現性良く取り付けられるので、キャップ223と蓋部251の排出口257との隙間は大きくてもよい。
【００３８】
ところで、口金保持部241の孔部254の円筒状内面に当接する部分がキャップ223であるようにすると、キャップ223はテフロン（登録商標）製であるので、使用中に熱で変形するおそれがある。そこで、位置再現性を良くするために、口金保持部241の孔部254の円筒状内面に当接する口金220の部位は、口金円筒部と一体の硬質金属製である突出部123とする。一方、遮蔽体250の蓋部251の排出口257の円筒状内面に近接する部分が、金属製の突出部123であると、蓋部251の排出口257の円筒状内面と口金220の突出部123の間で放電が起こるおそれがある。そこで、遮蔽体250の蓋部251の排出口257の円筒状内面に近接する部分は、電気的絶縁性のキャップ223とする。こうして、遮蔽体250の蓋部251に絶縁性部材を用いなくても、口金220と遮蔽体250との間を絶縁できる。
【００３９】
遮蔽体250で口金220を絶縁する構成では、遮蔽体250の構造が複雑となる。そればかりでなく、熱変形に対して弱くなり、放電ランプの重さを支える強度も弱くなる。遮蔽体250で絶縁するのではなく、柱部242などで絶縁するので、口金保持部241と遮蔽体250を強固にできる。遮蔽体250を金属で構成することにより、放電ランプから放射される電磁波を確実に遮蔽できる。さらに、口金保持部241と遮蔽体250を、熱遮断性の良い柱部242のみで接続することにより、口金220から遮蔽体250へ伝達する熱を少なくできる。
【００４０】
供給管56から遮蔽空間内に供給された温調媒体Ｓは、遮蔽空間55の中に設けられたリーダ・ライタ160を冷却し、キャップ223と蓋部251の排出口257との隙間を通って、口金保持部241と蓋部251との間に流れ出る。この時、キャップ223と排出口257との隙間に、温調媒体Ｓの流れが集中するので、キャップ223を集中して冷却できる。したがって、キャップ223の熱変形や、ICタグ130の熱劣化や破損を効果的に防げる。口金保持部241と蓋部251との間から流れ出た温調媒体Ｓは、遮蔽体250の蓋部251と口金保持部241とを冷却し、柱部242との隙間を通って口金ホルダ240の外へ放出される。
【００４１】
このように、遮蔽体250の内部に供給された温調媒体Ｓは、第１にリーダ・ライタ160を冷却し、第２にICタグ130およびキャップ223および突出部123を冷却し、第３に蓋部251の上面と口金保持部241の下面とを冷却し、第４に柱部242を冷却して、口金ホルダ240の外部に放出される。よって、口金ホルダ240を効率良く冷却できる。この冷却方法は、光学的な表示を読み取る場合に適用しても、同様な効果が得られる。ICタグ130とリーダ・ライタ160をランプの光から遮蔽する方法は、実施例１、２と同様である。
【００４２】
上記のように、本発明の実施例３では、光源装置を、口金と口金ホルダの間に隙間を設けて保持するとともに温調媒体を排気して強制冷却して、電磁気的に遮蔽された口金ホルダ内部空間にICタグを挿入して、放電ランプ個別情報を読み書きする構成としたので、ICタグとリーダ・ライタをランプの熱や光や高電圧から保護でき、放電ランプ個別情報を長期にわたって信頼性よく読み書きできる。
【実施例４】
【００４３】
本発明の実施例４は、電磁気的に遮蔽して強制冷却した口金ホルダ内部に表示読取部を設け、口金の突出部と位置決め凸部を口金ホルダに挿入して口金を保持した状態で、口金の位置決め凸部の先端にある表示部の放電ランプ個別情報を読み取る光源装置である。
【００４４】
図７（Ａ）は、凸部に表示部を有する口金の側面図である。図７（Ｂ）は、凸部に表示部を有する口金の底面図である。図７の側面図（Ａ）および底面図（Ｂ）に示すように、口金320の円筒部端面22に、位置決め凸部324を形成する。この位置決め凸部324の先端面に、表示部330を設ける。図８（Ａ）は、光源装置の表示読取部を表示部に対面するように配置した状態を示す縦断面図である。図８（Ｂ）は、図８（Ａ）のC-C断面図である。図８に示すように、遮蔽体350の蓋部351には、口金320の突出部323を挿入する孔部354以外に、位置決め凸部324を挿入するための位置決め孔部358を設ける。口金320の円筒部端面22が口金ホルダ340の蓋部351と当接した状態でも、位置決め孔部354は塞がれることなく、排出口357を介して遮蔽体350の外部に開放されている。このように構成すると、放電ランプを光源装置に取り付ける際に位置決めできる。
【００４５】
上記のように構成された本発明の実施例４における光源装置の機能と動作を、図７と図８を参照しながら説明する。最初に、ランプ情報の読取方法を説明する。基本的には実施例１の場合と同じである。表示部330が位置決め凸部324の先端面にある点が異なる。口金320の突出部323を、口金ホルダ340の孔部354に入れる。ランプの位置決めのために、位置決め凸部324を位置決め孔部358に挿入する。口金320が口金ホルダ340に固定されると、表示部330が表示読取部60に対向する位置にくる。この状態で、表示読取部60で表示部330の表示を読み取って、ランプ情報を取得する。
【００４６】
次に、遮蔽方法と冷却方法を説明する。金属で構成された遮蔽体350には、位置決め凸部324との間を電気的に絶縁する部材が設けられている。絶縁体で構成され遮蔽体350の場合には、電気的シールド材により覆う。遮蔽方法のその他の基本的な部分は実施例１の場合と同じである。遮蔽体350の内部空間には、温調媒体Ｓを流入させて、表示部330と表示読取部60を冷却する。供給管56から遮蔽空間55内に供給された温調媒体Ｓは、遮蔽空間内に配設された表示読取部60を冷却し、位置決め凸部324と蓋部351の位置決め孔部358との隙間を通って、口金320の円筒部端面22と蓋部351との間に流れ出る。この時、位置決め凸部324と蓋部351の位置決め孔部358との隙間に温調媒体Ｓの流れが集中するので、表示部330を集中して冷却できる。よって、熱による表示部330の変質や変色を効果的に防げる。口金320の円筒部端面22と蓋部351との間に流れ出た温調媒体Ｓは、口金ホルダ340の外へ放出される。よって、表示部330と表示読取部60を効率よく冷却できる。この冷却方法は、ICタグとリーダ・ライタを用いる場合に適用しても、同様な効果が得られる。
【００４７】
上記のように、本発明の実施例４では、光源装置を、電磁気的に遮蔽して強制冷却した口金ホルダ内部に表示読取部を設け、口金の突出部と位置決め凸部を口金ホルダに挿入して口金を保持した状態で、口金の位置決め凸部の先端にある表示部の放電ランプ個別情報を読み取るように構成したので、表示部と表示読取部をランプの熱や光や高電圧から保護して、放電ランプ個別情報を長期にわたって高い信頼性で読み取ることができる。
【産業上の利用可能性】
【００４８】
本発明の光源装置は、放電ランプに設けた個別情報を読み取る個別情報読取部を保護する光源装置として最適である。
【図面の簡単な説明】
【００４９】
【図１】本発明の実施例１における光源装置の表示読取部を放電ランプの表示部に対面するように配置した状態を示す外観図である。
【図２】本発明の実施例１における光源装置の放電ランプの口金部分に表示部を設けた状態の外観図である。
【図３】本発明の実施例１における光源装置の表示読取部を放電ランプの表示部に対面するように配置した状態を示す縦断面図と、表示例の図と、読取手順の流れ図である。
【図４】本発明の実施例２における光源装置の放電ランプの口金部分にICタグを設けた状態の外観図である。
【図５】本発明の実施例２における光源装置のリーダ・ライタをICタグに対面するように配置した状態を示す縦断面図である。
【図６】本発明の実施例３における光源装置のリーダ・ライタをICタグに対面するように配置した状態を示す縦断面図である。
【図７】本発明の実施例４における光源装置の放電ランプの口金部分に表示部を設けた状態の外観図である。
【図８】本発明の実施例４における光源装置の表示読取部を表示部に対面するように配置した状態を示す縦断面図である。
【図９】従来の光源装置の概念図である。
【符号の説明】
【００５０】
１  陽極
２  陰極
３  内部リード棒
４  金属箔
５  封止管部
７  外部リード棒
９  発光部
10  発光管
20,120,220,320  口金
21  円筒部
22  円筒部端面
23,123,323  突出部
30,330  表示部
40,140,240,340  口金ホルダ
50,150,250,350  遮蔽体
51,151,251,351  蓋部
52  側部
53  底部
54,154,254,354  孔部
55  遮蔽空間
56  供給管
57,257,357  排出口
157  排出溝
60  表示読取部
61  信号線
130  ICタグ
160  リーダ・ライタ
223  キャップ
324  位置決め凸部
241  口金保持部
242  柱部
358  位置決め孔部
Ｓ  温調媒体
【図１】
0004913001.tif 000002
【図２】
0004913001.tif 000003
【図３】
0004913001.tif 000004
【図４】
0004913001.tif 000005
【図５】
0004913001.tif 000006
【図６】
0004913001.tif 000007
【図７】
0004913001.tif 000008
【図８】
0004913001.tif 000009
【図９】
0004913001.tif 000010